(57)【要約】【課題】ケースと、ケースの開口を覆うカバーとの間にパッキンを配置した筐体において、ケースとカバーとを固定する作業を効率化することが望まれている。【解決手段】筐体は、電気回路を収容するケースと、ケースの開口を覆うカバーと、開口を取り囲むように配置され、ケースとカバーとの間に挟持されるパッキンと、ケースおよびカバーの一方に固定された一端、およびボスが形成された他端を有する板ばねと、ケースおよびカバーの他方に形成された第１のフックとを備え、第１のフックがボスに係合することで、カバーがケースに保持される。【選択図】図２
2015053376.tif 000002
【特許請求の範囲】
【請求項１】
電気回路を収容し、開口を有するケースと、
前記ケースの前記開口を覆うカバーと、
前記開口を取り囲むように配置され、前記ケースと前記カバーとの間に挟持されるパッキンと、
前記ケースまたは前記カバーの一方に固定された一端、およびボスが形成された他端を有する板ばねと、
前記ケースまたは前記カバーの他方に形成された第１のフックと
を備え、
前記第１のフックが前記ボスに係合することで、前記カバーが前記ケースに保持される、筐体。
【請求項２】
前記板ばねの前記一端は、前記ケースに固定され、
前記第１のフックは、前記カバーに形成されている、請求項１に記載の筐体。
【請求項３】
前記ケースに固定され、螺子穴が形成された板部材をさらに備え、
前記カバーは、前記ケースに保持された場合に前記螺子穴に対向する位置に貫通孔を有し、
前記貫通孔を介して前記螺子穴に螺子が挿入されることで、前記ケースと前記カバーとが固定され、
前記板ばねおよび前記板部材とは一枚の板から形成されている、請求項２に記載の筐体。
【請求項４】
前記第１のフックを前記ボスに案内にするガイド部をさらに備え、
前記板ばね、前記板部材、および前記ガイド部は、前記一枚の板から形成されている、請求項３に記載の筐体。
【請求項５】
前記第１のフックは、貫通穴を有し、
前記カバーが前記ケースに保持される場合、前記ボスが前記貫通穴に挿入される、請求項３または請求項４に記載の筐体。
【請求項６】
前記板ばねは、前記ケースの前記開口の縁に沿って延伸している、請求項２から請求項５のいずれか１つに記載の筐体。
【請求項７】
前記板ばねは、前記第１のフックが前記ボスに係合することで前記カバーが前記ケースに保持された状態において、前記カバーにより覆われている、請求項２から請求項６のいずれか１つに記載の筐体。
【請求項８】
前記第１のフックは、前記カバーの一側面に設けられ、
前記筐体は、
前記カバーの前記一側面に対向する他側面に形成された第２のフックと、
前記ケースに設けられ、前記第２のフックが係合されるフック受け部と
をさらに備え、
前記第２のフックが前記フック受け部に係合された後、前記第１のフックが前記ボスを押し下げてから、前記板ばねの復元力により前記ボスが押し上げられて、前記第１のフックが前記ボスに係合することで、前記カバーが前記ケースに保持される、請求項２から請求項７のいずれか１つに記載の筐体。
【請求項９】
前記カバーの前記一側面は、前記筐体が設置された状態において前記筐体の底面に対応する、請求項８に記載の筐体。
【請求項１０】
請求項１から請求項９のいずれか１つに記載の筐体と、
前記電気回路として前記ケースに収容され、電力を変換して出力する電力変換回路と
を備える電力変換装置。
【発明の詳細な説明】
【技術分野】
【０００１】
本発明は、筐体および電力変換装置に関する。
【背景技術】
【０００２】
特許文献１には、上ケースと下ケースとの間にパッキンが配置された防止装置が記載されている。特許文献２には、ケーシングと蓋との間にパッキンが配置されたパワーコンディショナが記載されている。
特許文献１  実開平２−１０１５８２号公報
特許文献２  特開２０１２−１６５９７号公報
【発明の概要】
【発明が解決しようとする課題】
【０００３】
上記のようなケースと、ケースの開口を覆うカバーとの間にパッキンを配置した筐体において、ケースとカバーとを固定する作業を効率化することが望まれている。
【課題を解決するための手段】
【０００４】
本発明の一態様に係る筐体は、電気回路を収容し、開口を有するケースと、ケースの開口を覆うカバーと、開口を取り囲むように配置され、ケースとカバーとの間に挟持されるパッキンと、ケースおよびカバーの一方に固定された一端、およびボスが形成された他端を有する板ばねと、ケースおよびカバーの他方に形成された第１のフックとを備え、第１のフックがボスに係合することで、カバーがケースに保持される。
【０００５】
上記筐体において、板ばねの一端は、ケースに固定され、第１のフックは、カバーに形成されていてもよい。
【０００６】
上記筐体は、ケースに固定され、螺子穴が形成された板部材をさらに備え、カバーは、ケースに保持された場合に螺子穴に対向する位置に貫通孔を有し、貫通孔を介して螺子穴に螺子が挿入されることで、ケースとカバーとが固定され、板ばねおよび板部材とは一枚の板から形成されていてもよい。
【０００７】
上記筐体は、第１のフックをボスに案内にするガイド部をさらに備え、板ばね、板部材、およびガイド部は、一枚の板から形成されていてもよい。
【０００８】
上記筐体において、第１のフックは、貫通穴を有し、カバーがケースに保持される場合、ボスが貫通穴に挿入されてもよい。
【０００９】
上記筐体において、板ばねは、ケースの開口の縁に沿って延伸していてもよい。
【００１０】
上記筐体において、板ばねは、第１のフックがボスに係合することでカバーがケースに保持された状態において、カバーにより覆われていてもよい。
【００１１】
上記筐体において、第１のフックは、カバーの一側面に設けられ、筐体は、カバーの一側面に対向する他側面に形成された第２のフックと、ケースに設けられ、第２のフックが係合されるフック受け部とをさらに備え、第２のフックがフック受け部に係合された後、第１のフックがボスを押し下げてから、板ばねの復元力によりボスが押し上げられて、第１のフックがボスに係合することで、カバーがケースに保持されてもよい。
【００１２】
上記筐体において、カバーの一側面は、筐体が設置された状態において筐体の底面に対応してもよい。
【００１３】
本発明の一態様に係る電力変換装置は、上記筐体と、電気回路としてケースに収容され、電力を変換して出力する電力変換回路とを備える。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】本実施形態に係るパワーコンディショナの外観斜視図の一例を示す図である。
【図２】カバーを開いた状態のパワーコンディショナの外観斜視図の一例を示す図である。
【図３】板ばねの部分を拡大したケースの部分斜視図の一例を示す図である。
【図４】カバーに形成されたフックが板ばねに形成されたボスに案内される様子を示す図である。
【図５】ケースおよびカバーの断面図の一例を示す図である。
【図６】図５の符号１６で示す部分を拡大した断面図の一例を示す図である。
【図７】カバーをケースに固定させる様子を示す図である。
【図８】カバーをケースに固定させる様子を示す図である。
【図９】変形例に係るボスおよびフックの一例を示す図である。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、本実施形態に係るパワーコンディショナ１００の外観斜視図の一例を示す。パワーコンディショナ１００は、ケース１０およびカバー２０を備える。ケース１０は、直流電源からの直流電圧を交流電圧に変換するインバータなどの電気回路を収容する。カバー２０は、ケース１０の開口を覆う。ケース１０およびカバー２０は、筐体を構成する。なお、ケース１０に収容される電気回路は、インバータには限定されない。ケース１０は、インバータ以外の電力を変換して出力する電力変換回路を収容してもよい。電力変換回路は、交流電源からの交流電圧を直流電圧に変換するコンバータ、直流電源からの第１の直流電圧を第１の直流電圧とは異なる第２の直流電圧に変換するコンバータ、または直流電力と交流電力との間で双方向の電力変換を行う双方向インバータでもよい。
【００１８】
図２は、カバー２０を開いた状態のパワーコンディショナ１００の外観斜視図の一例を示す。パワーコンディショナ１００は、パッキン３０をさらに備える。パッキン３０は、ケース１０の開口を取り囲むように配置され、ケース１０とカバー２０との間に狭持される。ケース１０とカバー２０とは、パワーコンディショナ１００が壁面に設置された状態において上面に位置する側面側で係合部材により係合されている。
【００１９】
パワーコンディショナ１００は、板ばね４０およびフック５０をさらに備える。板ばね４０は、ケース１０に固定された一端と、ボス４２が形成された他端とを有する。フック５０は、カバー２０に形成されている。フック５０がボス４２に係合することで、カバー２０がケース１０に保持される。なお、板ばね４０の一端がカバー２０に固定され、フック５０がケース１０に形成されていてもよい。
【００２０】
ケース１０の一側面１２には、螺子穴６２が形成されている。一側面１２は、パワーコンディショナ１００が壁面に設置された状態において底面に位置する。また、カバー２０の一側面２４には、カバー２０がケース１０に保持された場合に螺子穴６２に対向する位置に貫通孔２２が形成されている。一側面２４は、パワーコンディショナ１００が壁面に設置された状態において底面に位置する。そして、螺子が貫通孔２２を介して螺子穴６２に挿入されることで、カバー２０がケース１０に固定される。
【００２１】
ケース１０とカバー２０とを一辺側で、係合部材により係合させた状態で、フック５０をボス４２に係合させて一辺に対向する他辺側で係合させることで、カバー２０をケース１０に確実に保持させることができる。そして、カバー２０がケース１０に保持された状態において、貫通孔２２を介して螺子穴６２に螺子が挿入されることで、カバー２０をケース１０に固定させることができる。
【００２２】
ここで、フック５０をボス４２に係合させることで、カバー２０をケース１０に保持させる機構がない場合、作業者は、例えば、ケース１０とカバー２０とを一辺側で、係合部材により係合させた状態で、カバー２０によりパッキン３０を押さえつけながら、カバー２０をケース１０に固定する。カバー２０によりパッキン３０を押さえつけながらの作業は、ケース１０の組み立て作業の効率を低下させる可能性がある。したがって、フック５０をボス４２に係合させることで、カバー２０をケース１０に保持させることで、カバー２０をケース１０に固定する作業の効率化を図ることができる。
【００２３】
図３は、板ばね４０の部分を拡大したケース１０の部分斜視図の一例を示す。ケース１０の一側面１２には、螺子穴６２が形成された板部材６０がケース１０に固定されている。板ばね４０と板部材６０とは、一枚の板から形成されている。また、ケース１０の一側面１２には、ガイド部７０が形成されている。ガイド部７０は、カバー２０に形成されたフック５０を、板ばね４０の他端に形成されたボス４２に案内する。ガイド部７０は、板ばね４０および板部材６０とともに一枚の板から形成されている。また、板ばね４０は、ケース１０の開口の縁に沿って延伸している。
【００２４】
図４は、カバー２０に形成されたフック５０が板ばね４０に形成されたボス４２に案内される様子を示す図である。カバー２０がケース１０の開口を覆うように配置される場合、フック５０がガイド部７０によってボス４２に案内されて、フック５０がボス４２を押し下げる。フック５０がさらに押し込まれると、板ばね４０の復元力によりボス４２が押し上げられ、フック５０がボス４２に係合する。フック５０がボス４２に係合することで、カバー２０に形成された貫通孔２２が螺子穴６２に対向する位置に配置される。
【００２５】
図５は、ケース１０およびカバー２０の断面図の一例を示す。図６は、図５の符号１６で示す部分を拡大した断面図の一例を示す。
【００２６】
パワーコンディショナ１００は、ケース１０およびカバー２０の一辺側を係合するための係合部材として、フック８０とフック受け部９０とをさらに備える。フック８０は、カバー２０の一側面１２に対向する他側面１４に形成されている。フック受け部９０は、フック８０が係合される。作業者は、フック８０をフック受け部９０に係合された後、フック５０をボス４２に係合させる。これにより、パッキン３０がカバー２０の裏面に押しつぶされながら、カバー２０をケース１０に保持させることができる。
【００２７】
図７および図８は、カバー２０をケース１０に固定させる様子を示す図である。作業者は、まず、図７に示すように、フック８０をフック受け部９０に係合させる。次いで、作業者は、図８に示すように、カバー２０でケース１０の開口を覆うように、カバー２０を押し下げる。
【００２８】
カバー２０が押し下げられると、カバー２０に形成されたフック５０が、ガイド部７０によりフック５０がボス４２に案内される。そして、フック５０が、ボス４２を押し下げてから、板ばね４０の復元力によりボス４２が押し上げられて、フック５０がボス４２に係合する。これにより、カバー２０がケース１０に保持される。その後、貫通孔２２を介して螺子穴６２に螺子６４が挿入されることで、カバー２０がケース１０に固定される。
【００２９】
ここで、板ばね４０を、ケース１０の開口の縁に垂直な方向に延伸させた場合、ケース１０の厚み分しか板ばね４０を延伸させることができない。この場合、ケース１０の開口の縁に沿って延伸させる場合によりも長く板ばね４０を延伸させることは困難になる。また、ケース１０には端子などの他の部材が露出しているので、カバー２０の縁（側壁）を延伸させることには制約がある。したがって、板ばね４０を、ケース１０の開口の縁に垂直な方向に延伸させた場合、カバー２０により板ばね４０を覆うことも困難になる。一方、板ばね４０をケース１０の開口の縁に沿って延伸させることにより、板ばね４０の短手（幅）方向の長さを短くでき、板ばね４０をカバー２０により覆うことが容易になる。また、板ばね４０を、ケース１０の開口の縁に沿って延伸させることで、板ばね４０の長手（長さ）方向の調整が容易にできる。これにより、板ばね４０の強度を容易に調整できる。
【００３０】
図９は、変形例に係るボス４２およびフック５０の一例を示す図である。フック５０は、ボス４２が挿入される貫通穴５２を有してもよい。カバー２０がケース１０に保持される場合、ボス４２が貫通穴５２に挿入される。これにより、カバー２０を予め定められた位置により確実に配置することができる。また、カバー２０がケース１０に対してずれにくくすることができる。
【００３１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００３３】
１０  ケース
２０  カバー
２２  貫通孔
３０  パッキン
４２  ボス
５０  フック
５２  貫通穴
６０  板部材
６２  螺子穴
６４  螺子
７０  ガイド部
８０  フック
９０  フック受け部
１００  パワーコンディショナ
【図１】
2015053376.tif 000003
【図２】
2015053376.tif 000004
【図３】
2015053376.tif 000005
【図４】
2015053376.tif 000006
【図５】
2015053376.tif 000007
【図６】
2015053376.tif 000008
【図７】
2015053376.tif 000009
【図８】
2015053376.tif 000010
【図９】
2015053376.tif 000011